(57)【特許請求の範囲】
【請求項１】
工具本体の外周に工具先端から基端側に向かう複数の螺旋状の切り屑排出溝が設けられ、この工具本体の先端に開放される前記切り屑排出溝の縁に切れ刃が設けられ、前記工具本体の先端部にシンニングすくい面とシンニングヒール面とを有するシンニング部が設けられ、前記シンニングヒール面と前記切り屑排出溝の工具回転方向後方側を向く溝壁面との交差稜線部に切れ刃対向稜線が設けられた穴明け工具であって、前記シンニング部のシンニング通し角は３０°以上６０°以下に設定され、工具先端視において前記切れ刃の工具中心側の端点と工具中心点とを通る直線Ｌ１と、この直線Ｌ１と平行で前記切れ刃の工具回転方向前方側に対向する前記切れ刃対向稜線上の点を通り且つ前記直線Ｌ１との距離が最大となる直線Ｌ２との間隔が、工具外径の１５％以上３５％以下となるように構成されており、前記切れ刃の工具外周側に主マージンが設けられ、この主マージンの工具回転方向後方側に副マージンが設けられ、工具先端視において前記シンニングヒール面と該シンニングヒール面の工具回転方向前方側逃げ面との交差稜線上の工具外周側の端点及び前記工具中心点を通る直線Ｌ５と、前記副マージンの工具回転方向前方側の端点及び前記工具中心点を通る直線Ｌ６とがなす角度が、前記直線Ｌ５の工具回転方向前方側を正として−２０°以上＋３０°以下であり、前記主マージンの幅及び副マージンの幅が夫々工具外径の１％以上６％以下に設定されていることを特徴とする穴明け工具。
【請求項２】
請求項１記載の穴明け工具において、前記切れ刃の工具外周側に外周側切れ刃が設けられていることを特徴とする穴明け工具。
【請求項３】
請求項２記載の穴明け工具において、前記外周側切れ刃は工具外周側ほど工具回転方向後方側に後退するように設けられ、工具先端視において前記切れ刃及び前記外周側切れ刃の連設点と該外周側切れ刃の外周側の端点とを通る直線Ｌ３と、前記直線Ｌ１とがなす角度が１０°以上５０°以下に設定されていることを特徴とする穴明け工具。
【請求項４】
請求項２，３いずれか１項に記載の穴明け工具において、外周側切れ刃の長さが工具外径の１％以上１５％未満に設定されていることを特徴とする穴明け工具。
【請求項５】
請求項２〜４いずれか１項に記載の穴明け工具において、前記切れ刃の工具中心側に中心側切れ刃が設けられていることを特徴とする穴明け工具。
【請求項６】
請求項５記載の穴明け工具において、工具先端視において前記切れ刃の工具中心側の端点と工具中心点との間隔が工具外径の１％以上１９％以下であることを特徴とする穴明け工具。
【請求項７】
請求項５，６いずれか１項に記載の穴明け工具において、工具軸直角方向視において前記外周側切れ刃及び前記中心側切れ刃が、工具中心軸に直角な線Ｌ４に対し工具中心側から工具外周側に向かうほど工具先端側に突出する方向を正として−５°以上＋５°以下の角度で設けられていることを特徴とする穴明け工具。
【請求項８】
請求項１〜７いずれか１項に記載の穴明け工具において、溝幅比が０．７以上１．２以下であることを特徴とする穴明け工具。
【発明の詳細な説明】
【技術分野】
【０００１】
本発明は、穴明け工具に関するものである。
【背景技術】
【０００２】
止まり穴の底面に平面を要する穴明け加工（ザグリ加工）を行う場合や、傾斜面や曲面に穴明け加工を行う場合等、一般的な先端角（１００°〜１５０°、特に１１８°。）のドリル形状では穴位置精度の悪化が懸念されるような場合には、例えば特許文献１に開示されるように、シンニングが設けられ、先端角を約１８０°に設定したドリル（以下、「フラットドリル」という。）が用いられることが多い。
【先行技術文献】
【特許文献】
【０００３】
【特許文献１】特開２００９−５６５３４号公報
【発明の概要】
【発明が解決しようとする課題】
【０００４】
従来のフラットドリルは、工具の欠損や穴径の拡大・穴曲がりが発生し易いという問題があり、ひいては早期に工具折損に至る場合があった。
【０００５】
本発明者等が、フラットドリルのシンニング形状や切れ刃形状に着目し検討したところ、従来のシンニング形状や切れ刃形状では、シンニングによって形成される工具中心側の切れ刃が、ヒール側から離れた位置に形成されることから、切り屑が十分に小さくカールされず、また、切り屑分断効果も十分でないために切り屑排出性を妨げていることを見出した。
【０００６】
即ち、従来のフラットドリルは、上記の現象により、切り屑詰まりによる工具折損が発生し易く、また、切り屑排出性が十分でないことによる工具負荷の増大から、工具振動が発生し、工具の欠損や穴径の拡大・穴曲がりが発生し易いという問題が生じていた。そのため、安定に加工し且つ加工精度を向上させるためには、加工速度を落とす必要があった。
【０００７】
本発明は、上述のような現状に鑑みなされたもので、切り屑を小さくカールさせて切り屑排出溝領域（以下、「溝領域」という。）に対して１つの切り屑が占める割合を低減して切り屑排出性を向上させることができ、高精度で高能率な穴明け加工が可能となる実用的な穴明け工具を提供するものである。
【課題を解決するための手段】
【０００８】
添付図面を参照して本発明の要旨を説明する。
【０００９】
工具本体１の外周に工具先端から基端側に向かう複数の螺旋状の切り屑排出溝３が設けられ、この工具本体１の先端に開放される前記切り屑排出溝３の縁に切れ刃２が設けられ、前記工具本体１の先端部にシンニングすくい面６とシンニングヒール面７とを有するシンニング部が設けられ、前記シンニングヒール面７と前記切り屑排出溝３の工具回転方向後方側を向く溝壁面との交差稜線部に切れ刃対向稜線８が設けられた穴明け工具であって、前記シンニング部のシンニング通し角αは３０°以上６０°以下に設定され、工具先端視において前記切れ刃２の工具中心側の端点ａと工具中心点Ｏとを通る直線Ｌ１と、この直線Ｌ１と平行で前記切れ刃２の工具回転方向前方側に対向する前記切れ刃対向稜線８上の点ｂを通り且つ前記直線Ｌ１との距離が最大となる直線Ｌ２との間隔Ｘが、工具外径Ｄの１５％以上３５％以下となるように構成されており、前記切れ刃２の工具外周側に主マージン11が設けられ、この主マージン11の工具回転方向後方側に副マージン12が設けられ、工具先端視において前記シンニングヒール面７と該シンニングヒール面７の工具回転方向前方側逃げ面13との交差稜線上の工具外周側の端点ｅ及び前記工具中心点Ｏを通る直線Ｌ５と、前記副マージン12の工具回転方向前方側の端点ｆ及び前記工具中心点Ｏを通る直線Ｌ６とがなす角度δが、前記直線Ｌ５の工具回転方向前方側を正として−２０°以上＋３０°以下であり、前記主マージン11の幅Ｗ１及び副マージン12の幅Ｗ２が夫々工具外径Ｄの１％以上６％以下に設定されていることを特徴とする穴明け工具に係るものである。
【００１０】
また、請求項１記載の穴明け工具において、前記切れ刃２の工具外周側に外周側切れ刃９が設けられていることを特徴とする穴明け工具に係るものである。
【００１１】
また、請求項２記載の穴明け工具において、前記外周側切れ刃９は工具外周側ほど工具回転方向後方側に後退するように設けられ、工具先端視において前記切れ刃２及び前記外周側切れ刃９の連設点ｃと該外周側切れ刃９の外周側の端点ｄとを通る直線Ｌ３と、前記直線Ｌ１とがなす角度βが１０°以上５０°以下に設定されていることを特徴とする穴明け工具に係るものである。
【００１２】
また、請求項２，３いずれか１項に記載の穴明け工具において、外周側切れ刃９の長さＮが工具外径Ｄの１％以上１５％未満に設定されていることを特徴とする穴明け工具に係るものである。
【００１３】
また、請求項２〜４いずれか１項に記載の穴明け工具において、前記切れ刃２の工具中心側に中心側切れ刃10が設けられていることを特徴とする穴明け工具に係るものである。
【００１４】
また、請求項５記載の穴明け工具において、工具先端視において前記切れ刃２の工具中心側の端点ａと工具中心点Ｏとの間隔Ｙが工具外径Ｄの１％以上１９％以下であることを特徴とする穴明け工具に係るものである。
【００１５】
また、請求項５，６いずれか１項に記載の穴明け工具において、工具軸直角方向視において前記外周側切れ刃９及び前記中心側切れ刃10が、工具中心軸に直角な線Ｌ４に対し工具中心側から工具外周側に向かうほど工具先端側に突出する方向を正として−５°以上＋５°以下の角度γで設けられていることを特徴とする穴明け工具に係るものである。
【００１６】
また、請求項１〜７いずれか１項に記載の穴明け工具において、溝幅比が０．７以上１．２以下であることを特徴とする穴明け工具に係るものである。
【発明の効果】
【００１７】
本発明は上述のように構成したから、切り屑を小さくカールさせて溝領域に対して１つの切り屑が占める割合を低減して切り屑排出性を向上させることができ、高精度で高能率な穴明け加工が可能となる実用的な穴明け工具となる。
【図面の簡単な説明】
【００１８】
【図１】本実施例の（ａ）概略説明平面図、（ｂ）概略説明側面図である。
【図２】本実施例の図１と異なる回転位相の（ａ）概略説明平面図、（ｂ）概略説明側面図である。
【図３】本実施例の拡大概略説明平面図である。
【図４】従来例の（ａ）概略説明平面図、（ｂ）概略説明側面図である。
【図５】従来例の図４と異なる回転位相の（ａ）概略説明平面図、（ｂ）概略説明側面図である。
【図６】（ａ）本実施例と従来例の切り屑排出溝の位置及び形状を比較する概略説明図である。（ｂ）中心側切れ刃10、10’が形成される位置を図６（ａ）上に示した模式図である。
【図７】角度γを説明する拡大概略説明側面図である。
【図８】角度γを説明する拡大概略説明側面図である。
【図９】比較例の（ａ）平面写真、比較例で加工した際の（ｂ）切り屑写真である。
【図１０】実験例の（ａ）平面写真、実験例で加工した際の（ｂ）切り屑写真である。
【図１１】比較例及び実験例の穴径拡大量を比較したグラフである。
【図１２】工具Ａ及び工具Ｂの外周側切れ刃の長さ及び工具欠損の有無を示す表である。
【図１３】工具Ａ〜Ｄの外周側切れ刃の長さ、工具欠損の有無及び穴径拡大量を示す表である。
【図１４】工具Ａ〜Ｄの穴径拡大量を比較したグラフである。
【図１５】溝幅比の測定方法を説明する説明図である。
【図１６】溝幅比の測定方法の別例を説明する説明図である。
【発明を実施するための形態】
【００１９】
好適と考える本発明の実施形態を、図面に基づいて本発明の作用を示して簡単に説明する。
【００２０】
シンニング通し角αを３０°以上６０°以下とし、直線Ｌ１と直線Ｌ２との間隔Ｘを工具外径Ｄの１５％以上３５％以下として切れ刃中心側から切れ刃対向稜線８までの間隔を従来より短く設定することで、切れ刃中心側で生成された切り屑をより早期に切れ刃対向稜線８、この切れ刃対向稜線８を交差稜線として形成する切り屑排出溝３の工具回転方向後方側を向く溝壁面若しくはシンニングヒール面７に接触させてより小さい径でカールさせることが可能となり、それだけ溝領域を広く使って切り屑を良好に排出させることが可能となる。
【実施例】
【００２１】
本発明の具体的な実施例について図面に基づいて説明する。
【００２２】
本実施例は、工具本体１の外周に工具先端から基端側に向かう複数の螺旋状の切り屑排出溝３が設けられ、この工具本体１の先端に開放される前記切り屑排出溝３の縁に切れ刃２が設けられ、前記工具本体１の先端部にシンニングすくい面６とシンニングヒール面７とを有するシンニング部が設けられ、前記シンニングヒール面７と前記切り屑排出溝３の工具回転方向後方側を向く溝壁面との交差稜線部に切れ刃対向稜線８が設けられた穴明け工具であって、前記シンニング部のシンニング通し角αは３０°以上６０°以下に設定され、工具先端視において前記切れ刃２の工具中心側の端点ａと工具中心点Ｏとを通る直線Ｌ１と、この直線Ｌ１と平行で前記切れ刃２と対向する切れ刃対向稜線８上の点ｂを通り且つ前記直線Ｌ１との距離が最大となる直線Ｌ２との間隔Ｘが、工具外径Ｄの１５％以上３５％以下となるように構成されているものである。なお、図中、矢印Ｔは工具回転方向を示し、矢印Ｔが向く方向が工具回転方向の前方である。
【００２３】
具体的には、本実施例は、工具本体１には２つの切り屑排出溝３と複数の先端逃げ面（第１逃げ面５及び第２逃げ面13（後述するシンニングヒール面７の工具回転方向前方側逃げ面13））が形成され、これらの切り屑排出溝３のすくい面と工具本体１の先端逃げ面（第１逃げ面５）との交差稜線部には、夫々工具本体１と一体に切れ刃が設けられたドリルである。
【００２４】
また、前記シンニングヒール面７と切り屑排出溝３のすくい面の工具回転方向前方側に位置し工具回転方向後方側を向く溝壁面との交差稜線部には、切れ刃対向稜線８が形成されている。また、工具本体１の外周には二番取り面４が設けられている。
【００２５】
溝幅比（Ｍ２／Ｍ１）は０．７以上１．２以下（本実施例では０．７）に設定されている。
【００２６】
溝幅比は切り屑排出溝以外の部分と切り屑排出溝とが占める比率を表すものであり、本実施例では、以下のように算出している（図１５）。
【００２７】
即ち、測定顕微鏡等を使用し、工具軸直角方向視において、工具中心軸上で工具軸方向の切り屑排出溝以外の部分の幅（Ｍ１）と切り屑排出溝３の幅（Ｍ２）とを夫々測定し、これらの比率Ｍ２／Ｍ１を溝幅比としている。
【００２８】
具体的には、本実施例では、切り屑排出溝以外の部分の幅（Ｍ１）は、工具中心軸上に切り屑排出溝３の工具回転方向前方側端点Ｐ１（本実施例では、切り屑排出溝３と二番取り面４との交差稜線上の点）が位置するように工具の回転位相を合わせ、その点Ｐ１から工具軸方向後方側に位置する主マージン11の工具軸方向後方側端点Ｑ１（本実施例では、前記切り屑排出溝３の工具回転方向前方側に存在する切り屑排出溝３と主マージン11との交差稜線上の点）までの工具軸方向距離としている。
【００２９】
また、切り屑排出溝３の幅（Ｍ２）は、工具中心軸上に切り屑排出溝３の工具回転方向後方側端点Ｐ２（本実施例では、切り屑排出溝３と主マージン11との交差稜線上の点）が位置するように工具の回転位相を合わせ、その点Ｐ２から工具軸方向後方側に位置する当該切り屑排出溝３の工具軸方向後方側端点Ｑ２（本実施例では、当該切り屑排出溝３と二番取り面４との交差稜線上の点）までの工具軸方向距離としている。
【００３０】
なお、前記Ｍ１とＭ２の測定にあたり、測定領域内（Ｐ１Ｑ１間またはＰ２Ｑ２間）に先端逃げ面やシンニングヒール面７が含まれないようにすること、または、工具先端からＰ１までの距離Ｓ１と工具先端からＰ２までの距離Ｓ２を同一にすることで、バラツキが少なくより正確な溝幅比（Ｍ２／Ｍ１）の測定が可能となる。
【００３１】
溝幅比が０．７未満の場合、溝領域が狭くなることで切り屑の排出性が妨げられ、１．２より大きい場合、溝領域が広くなり過ぎることで工具剛性が低下してしまう。
【００３２】
なお、上述のようにして溝幅比を測定する場合には、工具を破壊することなく溝幅比を測定することができるが、図１６に示すように、工具を切断するなどして先端部を除去し、工具軸直角断面の先端視において、工具中心点Ｏを頂点として切り屑排出溝以外の部分が占める角（μ１：本実施例では、主マージン11、副マージン12及び二番取り面４が占める角）と切り屑排出溝３が占める角（μ２）とを夫々測定し、これらの比率μ２／μ１を溝幅比としても良い。
【００３３】
前記μ１とμ２の測定にあたり、測定領域内に先端逃げ面やシンニングヒール面７が含まれないように工具の先端部を除去した工具軸直角断面上で測定することで、バラツキが少なくより正確な溝幅比（μ２／μ１）の測定が可能となる。
【００３４】
更に、図示しないが、例えばレーザーや発光ダイオードを採用した光学式測定機などの非破壊測定器を用いて、工具を破壊することなく工具中心軸周りに工具を回転させてμ１とμ２を測定し、これらの比率μ２／μ１を溝幅比としても良い。
【００３５】
また、シンニング通し角αは、工具本体１（ドリル）の工具中心軸とシンニングヒール面７とが成す角度であり、３０°以上６０°以下に設定する。本実施例では３０°に設定されている。シンニング通し角αが３０°未満の場合、工具軸直角方向視において切れ刃対向稜線８が工具先端から離れた位置に存在することになり、切り屑を接触させてより小さい径でカールさせる効果が得られず、６０°よりも大きい場合、切れ刃中心部（切れ刃２の工具中心側及び後述する中心側切れ刃10）で発生する切り屑の排出が妨げられてしまう。
【００３６】
また、本実施例は、工具先端視において工具回転方向後方側に凹状に湾曲する凹湾曲形状の切れ刃２の工具中心側の端点ａと工具中心点Ｏとを通る直線Ｌ１と、この直線Ｌ１と平行で前記切れ刃２と対向する切れ刃対向稜線８上の点ｂを通り且つ前記直線Ｌ１からの距離が最大となる直線Ｌ２との間隔Ｘ（直線Ｌ１を平行移動した際に直線Ｌ１が切れ刃対向稜線８と接する最大の移動量Ｘ）が、工具外径Ｄの１５％以上３５％以下となるように構成されている。本実施例では２５％に設定されている。また、本実施例の工具外径Ｄは、工具本体１（刃部）の最大直径である。
【００３７】
間隔Ｘが工具外径Ｄに対して１５％未満の場合、前記切れ刃中心部で発生する切り屑の排出が妨げられてしまい、３５％より大きい場合、切り屑を小さくカールさせる効果が得られない。
【００３８】
また、本実施例においては、切れ刃２の工具外周側に外周側切れ刃９が連設されている。外周側切れ刃９は、切り屑排出溝３の先端にしてすくい面の工具外周側に設けられた外周側切れ刃形成用すくい面14と第１逃げ面５との交差稜線部に形成される。また、前記外周側切れ刃９は工具外周側ほど工具回転方向後方側に後退するように設けられ、工具先端視において前記切れ刃２及び前記外周側切れ刃９の連設点ｃと該外周側切れ刃９の外周側の端点ｄとを通る直線Ｌ３と、前記直線Ｌ１とがなす角度βが１０°以上５０°以下に設定されている。本実施例では２０°に設定されている。
【００３９】
直線Ｌ１に対して外周側切れ刃９を所定の角度で工具外周側ほど工具回転方向後方側に後退するように傾斜させて設けることで、切り屑が分断し易くなり、更に切れ刃最外周のチッピングを防止でき、穴径拡大を抑制することが可能となる。角度βが１０°未満の場合、切り屑を分断する効果が得られず、５０°より大きい場合、工具外周面（主マージン11）と外周側切れ刃形成用すくい面14とが成す角度が大きくなることで、傾斜面や曲面加工時に切削抵抗が大きくなり、工具の欠損や穴曲がりが発生し易くなる。
【００４０】
また、外周側切れ刃９の長さＮは、工具外径Ｄの１％以上１５％未満に設定されている。本実施例では３％に設定されている。なお、外周側切れ刃９の長さＮは、工具先端視において前記切れ刃２及び前記外周側切れ刃９の連設点ｃと該外周側切れ刃９の外周側の端点ｄとを結ぶ直線の長さとする。外周側切れ刃９の長さＮが工具外径Ｄの１％未満の場合、切れ刃外周部（外周コーナ部）が欠損し易くなり、１５％以上の場合、切れ刃のすくい面が工具軸方向に対してなすすくい角（所謂、軸方向すくい角）の小さい外周側切れ刃形成用すくい面14で形成される切れ刃の割合が高くなることで切削抵抗が増加し、穴径拡大や工具欠損を招く。
【００４１】
工具回転方向後方側に凹状に湾曲する凹湾曲形状の切れ刃２の工具中心側には、直線状の中心側切れ刃10が連設されている。中心側切れ刃10は、シンニングすくい面６と第１逃げ面５との交差稜線部に形成される。中心側切れ刃10を設けることで、工具剛性を保つ心厚としても工具中心付近まで切れ刃を設けることができ、切削抵抗を低減することができる。また、工具中心付近まで切り屑排出のための切り屑ポケットを有することができ、中心側切れ刃10と切れ刃２とが所定の角度で連設されることによりその連設部において切り屑を分断する効果も得ることができ、切り屑排出性の向上を図ることができる。
【００４２】
また、工具先端視において前記切れ刃２の工具中心側の端点ａと工具中心点Ｏとの間隔Ｙが工具外径Ｄの１％以上１９％以下に設定されている。本実施例では１２％に設定されている。間隔Ｙが工具外径Ｄの１％未満の場合、切り屑を分断させる効果が得られず、１９％より大きい場合、工具軸方向に対してなすすくい角（所謂、軸方向すくい角）の小さいシンニングすくい面６で形成される切れ刃の割合が高くなることで切削抵抗が増加し、穴径拡大や工具欠損を招く。
【００４３】
なお、本実施例において外周側切れ刃９及び中心側切れ刃10を直線状に形成しているが、工具回転方向前方側に凸状に湾曲する凸湾曲形状等、直線状以外の形状に形成しても良い。
【００４４】
また、本実施例は、より好ましい実施の形態として複数のマージンを有する形状としており、１つの主マージンに対して１つの副マージンを設ける所謂ダブルマージン形状を採用している。ダブルマージンとすることで、加工した穴の内壁に工具がガイドされ、穴曲がりの少ない加工を行うことができる。
【００４５】
具体的には、前記切れ刃２の工具外周側に主マージン11が設けられている。より具体的には図１〜３に示す本実施例においては切れ刃２の工具外周側に連設される外周側切れ刃９に主マージン11が連設され（即ち、切れ刃２の工具外周側に外周側切れ刃９を介して主マージン11が設けられ）、この主マージン11の工具回転方向後方側に副マージン12が設けられている。また、工具先端視において前記シンニングヒール面７と該シンニングヒール面７の工具回転方向前方側逃げ面13（第１逃げ面５の工具回転方向後方側に連なる第２逃げ面13と一致する）との交差稜線上の工具外周側の端点ｅ及び前記工具中心点Ｏを通る直線Ｌ５と、前記副マージン12の工具回転方向前方側の端点ｆ及び前記工具中心点Ｏを通る直線Ｌ６とがなす角度δが、前記直線Ｌ５の工具回転方向前方側を正として−２０°以上＋３０°以下となるように構成されている。本実施例では角度δは＋３°に設定されている。
【００４６】
角度δが＋３０°より大きい場合、主マージン11と副マージン12の間隔が狭くなりすぎるためガイド効果を十分に得ることができず、−２０°未満の場合、シンニングヒール面７が形成されることにより副マージン12の工具先端側の位置が工具軸方向後端側に配置されることになってしまうため、穴加工時にガイド効果を得るまで一定の穴深さを要することになり、穴上面の穴位置精度を悪化させ結果として穴曲がりを抑制する十分な効果を得にくくなる。
【００４７】
なお、本実施例では１つの主マージンに対して１つの副マージンを設ける所謂ダブルマージン形状としたが、１つの主マージンに対して２つの副マージンを設けるなど、１つの主マージンに対して複数の副マージンを設けても良い。
【００４８】
また、前記主マージン11の幅Ｗ１及び副マージン12の幅Ｗ２は、夫々工具外径Ｄの１％以上６％以下に設定されている。本実施例ではいずれも３％に設定されている。
【００４９】
幅Ｗ１，Ｗ２が工具外径Ｄの６％より大きい場合、穴の内壁とマージンとの接触面積が大きくなり、工具負荷が増加し工具の折損や欠損を引き起こし、１％未満の場合、マージンの摩耗が促進され、工具外径の縮小を早めてしまう。
【００５０】
なお、本実施例では、前記主マージン11の幅Ｗ１及び副マージン12の幅Ｗ２は、切り屑排出溝３に沿う方向（ねじれ方向）に直交する方向に測定している（図１）。
【００５１】
図４，５に従来の一般的なシンニング付きフラットドリルの構成を示す。なお、図４，５中、本実施例と同様の名称の部位には’付き同一番号符号を付した。また、図６（ａ）は本実施例と従来例の切り屑排出溝の位置及び形状を工具先端視で比較した図である。具体的には、本実施例（図１（ａ））と従来例（図４（ａ））の夫々について、工具先端部の加工（先端逃げ面とシンニング加工）および二番取り面加工を実施する前の工具先端視形状を、後に形成される中心側切れ刃10、10’の位置が一致するように回転位相を合わせて比較した図である（実線が本実施例、破線が従来例）。ここでは本実施例と従来例とを比較し易くするため、夫々の切り屑排出溝の形状を同一に設定している。つまり本実施例と従来例とにおいて、中心側切れ刃10、10’の位置に対する切り屑排出溝の位置（回転位相）が異なるのである。図６（ｂ）は、中心側切れ刃10、10’が形成される位置を図６（ａ）上に模式的に示したものである（中心側切れ刃10、10’：太い実線）。
【００５２】
本実施例は以上の構成とすることで、従来構成のＸ’に比し、図６に図示したように溝容積を変えずにＸを小さくして、切れ刃中心部で生じた切り屑を早期に切れ刃対向稜線８、この切れ刃対向稜線８の近傍にして該切れ刃対向稜線８を交差稜線として形成する切り屑排出溝３のすくい面の工具回転方向前方側に位置し工具回転方向後方側を向く溝壁面若しくはシンニングヒール面７に接触させてより小さい径でカールさせることが可能となり、それだけ小さくカールさせて溝領域を占める割合が小さい切り屑として円滑に工具基端側に送ることが可能となる。
【００５３】
また、本実施例においては、切れ刃２、外周側切れ刃９及び中心側切れ刃10は、工具軸直角方向視において工具中心軸に直角な線と略平行に設けているが（先端角θを略１８０°としているが）、図７，８に図示したように、これらを工具中心軸に直角な線Ｌ４に対して所定角度傾斜させて設ける構成としても良い。即ち、前記外周側切れ刃９及び前記中心側切れ刃10が、工具中心軸に直角な線Ｌ４に対し工具中心側から工具外周側に向かうほど工具先端側に突出する方向を正として−５°以上＋５°以下（つまり、ドリルの先端角θとして表現した場合、−は先端角θが１８０°未満となる方向）の角度γで設けられている構成としても良い。なお、工具軸直角方向視において前記外周側切れ刃９及び前記中心側切れ刃10の夫々について、工具中心側の端点と外周側の端点とが夫々同一平面上にあるときの両点を結ぶ直線を用いて角度γを測定する。
【００５４】
図７，８の構成のフラットドリルを用いて傾斜面や曲面を加工する際、角度γが−５°未満の場合、被削材に食いつき難くなり工具径方向にして被削材から離れる方向に穴曲がりが発生し易くなり、＋５°より大きい場合、片刃での切削時に切削抵抗の影響から工具径方向にして被削材に食い込む方向に穴曲がりが発生し易くなる。
【００５５】
図７は角度γを夫々−４°に設定した例、図８は角度γを夫々＋４°に設定した例である。
【００５６】
本実施例は上述のように構成したから、切れ刃中心側で生成された切り屑をより早期に切れ刃対向稜線８、この切れ刃対向稜線８を交差稜線として形成する切り屑排出溝３の工具回転方向後方側を向く溝壁面若しくはシンニングヒール面７に接触させてより小さい径でカールさせることが可能となり、それだけ溝領域を広く使って切り屑を良好に排出させることが可能となる。
【００５７】
よって、本実施例は、切り屑を小さくカールさせて溝領域に対して１つの切り屑が占める割合を低減して切り屑排出性を向上させることができ、高精度で高能率な穴明け加工が可能となる実用的なものとなる。
【００５８】
本実施例の効果を裏付ける実験例について説明する。
【００５９】
・実験１
実験１は、比較例（従来形状）と実験例（本実施例に係る形状）とで切り屑形状及び穴径拡大量を比較したものである（図９〜１１）。
【００６０】
比較例、実験例のいずれも工具外径Ｄは６ｍｍ、切り屑排出溝３のねじれ角は３０°の仕様とした。
【００６１】
実験例（図１０（ａ））は、工具回転方向後方側に凹状に湾曲する凹湾曲形状の切れ刃２と外周側切れ刃９と中心側切れ刃10を有する形状とした。シンニング通し角αは４０°、角度βを２０°、溝幅比は０．９１とし、間隔Ｘが工具外径Ｄに対し２５％となる形状とした。また、外周側切れ刃９の長さＮは工具外径Ｄの３％、間隔Ｙは工具外径Ｄの１２％とした。また、角度γは−０．５°（ドリルの先端角θとして表現した場合は１７９°（＝１８０°−２×０．５°））とした。
【００６２】
比較例（図９（ａ））は、工具先端視において、前記角度βを５°とした。溝幅比は０．９１とし、シンニング通し角は４０°とした。また、前記間隔Ｘが工具外径Ｄに対し３７％となる形状とした。角度γは−０．５°（ドリルの先端角θとして表現した場合は１７９°（＝１８０°−２×０．５°））とした。
【００６３】
以上の実験例及び比較例を用い、被削材：機械構造用炭素鋼鋼材Ｓ５０Ｃ（ＪＩＳ規格）、回転速度：５３００ｍｉｎ−１、送り速度：５００ｍｍ／ｍｉｎ、穴深さ：板厚１８ｍｍに対する貫通穴、という条件で工具中心軸に略直交する面から３０°傾斜する傾斜面に穴明け加工を行った。
【００６４】
その結果、比較例では、１０穴目で切り屑詰まりから折損が発生したが、実験例では２７穴の加工を完了し、工具損傷も無く継続して使用できることを確認した。
【００６５】
また、１穴目の穴径拡大量を測定したところ、比較例では０．３８ｍｍの穴径拡大量であるのに対し、実験例では０．００１ｍｍの穴径拡大量に抑えることができた（図１１参照）。
【００６６】
また、切り屑の形状を比較したところ、実験例では比較例より切り屑がよりカールされている（カール径が小さくなる）ことが確認できた（図９（ｂ）及び図１０（ｂ）参照）。
【００６７】
・実験２
実験２は、外周側切れ刃９の長さＮを変えたＡ〜Ｄの工具において、工具欠損及び穴径拡大量を比較したものである（図１２〜１４）。
【００６８】
工具Ａ〜Ｄは、いずれも工具外径Ｄを６ｍｍ、切り屑排出溝３のねじれ角は３０°の仕様とした。また、外周側切れ刃９の長さＮ（図３参照）を工具外径Ｄに対する割合として図１２及び図１３に示した。
【００６９】
また、工具Ａ〜Ｄは、いずれも工具回転方向後方側に凹状に湾曲する凹湾曲形状の切れ刃２と外周側切れ刃９と中心側切れ刃10を有する形状とした。シンニング通し角αは４０°、角度βを２０°、溝幅比は０．８７とし、間隔Ｘが工具外径Ｄに対し２５％となる形状とした。また、間隔Ｙは工具外径Ｄの１１％とした。また、角度γは−０．５°（ドリルの先端角θとして表現した場合は１７９°（＝１８０°−２×０．５°））とした。
【００７０】
実験２（１）では工具Ａ及びＢを用い、被削材：機械構造用炭素鋼鋼材Ｓ５０Ｃ（ＪＩＳ規格）、回転速度：５３００ｍｉｎ−１、送り速度：５００ｍｍ／ｍｉｎ、穴深さ：２ｍｍ（浅い側）（深い側は約５．５ｍｍ）、加工穴数：各４穴、という条件で工具中心軸に略直交する面から３０°傾斜する傾斜面にザグリ加工をしたところ、外周側切れ刃９の長さが短い工具Ａで、切れ刃の外周コーナ部において工具の欠損が確認された（図１２）。
【００７１】
傾斜面の加工においては、被削材に工具の外周側から接触するため、外周側にかかる負荷が大きくなる。そのため、外周側切れ刃９の長さが短い場合に工具剛性不足から欠損を招くと考えられる。
【００７２】
また、実験２（２）では工具Ａ，Ｂ，Ｃ及びＤを用い、被削材：一般構造用圧延鋼材ＳＳ４００（ＪＩＳ規格）、回転速度：５３００ｍｉｎ−１、送り速度：５００ｍｍ／ｍｉｎ、穴深さ：１２ｍｍ、加工穴数：各２７穴、という条件で工具中心軸に略直交する平面にザグリ加工をしたところ、外周側切れ刃９の長さが短い工具Ａで、切れ刃の外周コーナ部において工具の欠損が確認された（図１３）。また、外周側切れ刃９が長い工具Ｄで穴径の拡大量が大きくなることを確認した（図１４）。
【００７３】
外周側切れ刃９及び中心側切れ刃10のすくい面は外周側切れ刃形成用すくい面14及びシンニングすくい面６で形成されるのに対し、切れ刃２のすくい面は切り屑排出溝３で形成される。切れ刃２のすくい角は切り屑排出溝３のねじれ角と略同一となり（厳密には切れ刃２のすくい角は工具中心側ほど小さい角度となる。）、外周側切れ刃９及び中心側切れ刃10よりも鋭角なすくい角となる。外周側切れ刃９が長くなることで、切れ刃全体に対する切れ刃２の割合が少なくなり、工具にかかる負荷が大きくなることから、穴径拡大量が大きくなると考えられる。
【００７４】
以上から、本実施例に示す構成によれば、切り屑排出性を向上させることができると共に、穴径の拡大を防止でき、高精度で高能率な穴明け加工が可能となることが確認できた。
【符号の説明】
【００７５】
１  工具本体
２  切れ刃
３  切り屑排出溝
６  シンニングすくい面
７  シンニングヒール面
８  切れ刃対向稜線
９  外周側切れ刃
10  中心側切れ刃
11  主マージン
12  副マージン
13  シンニングヒール面７の工具回転方向前方側逃げ面
α  シンニング通し角
β  直線Ｌ３と直線Ｌ１とがなす角度
γ  線Ｌ４に対する角度
δ  直線Ｌ５と直線Ｌ６とがなす角度
Ｄ  工具外径
Ｎ  外周側切れ刃９の長さ
Ｏ  工具中心点
Ｗ１  主マージン11の幅
Ｗ２  副マージン12の幅
Ｘ  直線Ｌ１と直線Ｌ２との間隔
Ｙ  切れ刃の工具中心側の端点ａと工具中心点Ｏとの間隔
ａ  切れ刃２の工具中心側の端点
ｂ  切れ刃対向稜線８上の点
ｃ  切れ刃２及び外周側切れ刃９の連設点
ｄ  外周側切れ刃９の外周側の端点
ｅ  シンニングヒール面７と逃げ面13との交差稜線上の工具外周側の端点
ｆ  副マージン12の工具回転方向前方側の端点
【図１】
0006499610.tif 000002
【図２】
0006499610.tif 000003
【図３】
0006499610.tif 000004
【図４】
0006499610.tif 000005
【図５】
0006499610.tif 000006
【図６】
0006499610.tif 000007
【図７】
0006499610.tif 000008
【図８】
0006499610.tif 000009
【図９】
0006499610.tif 000010
【図１０】
0006499610.tif 000011
【図１１】
0006499610.tif 000012
【図１２】
0006499610.tif 000013
【図１３】
0006499610.tif 000014
【図１４】
0006499610.tif 000015
【図１５】
0006499610.tif 000016
【図１６】
0006499610.tif 000017